(57)【要約】【課題】利用者の身体的負担を考慮した空調装置の制御を利用者に提案することができる空調制御システムを提供する。【解決手段】空調制御システム１０は、移動端末２０が検知した現在位置情報に基づいて、移動端末２０が所定の通知範囲内であるか否かを判定する通知範囲判定部１２と、移動端末２０が所定の通知範囲内であると判定された場合に、外部から取得される温湿度情報と推定された復路における移動手段及び移動時間とを用いて算出される利用者の快適性を示す負担指標に基づいて、空調装置３０の制御に関する利用者への通知が必要か否かを判定する制御通知判定部１５とを備える。【選択図】図１
2020134068.tif 000002
【特許請求の範囲】
【請求項１】
利用者が携行する移動端末が検知した現在位置情報及び加速度情報の少なくとも一方に基づき、前記利用者の往路における移動手段及び移動時間を特定する往路特定部と、
特定された前記往路における移動手段及び移動時間に基づいて、復路における移動手段及び移動時間を推定する復路推定部と、
前記移動端末が検知した現在位置情報に基づいて、前記移動端末が所定の通知範囲内であるか否かを判定する通知範囲判定部と、
前記移動端末が前記所定の通知範囲内であると判定された場合に、外部から取得される温湿度情報と推定された前記復路における移動手段及び移動時間とを用いて算出される前記利用者の快適性を示す指標に基づいて、空調装置の制御に関する前記利用者への通知が必要か否かを判定する制御通知判定部とを備える
空調制御システム。
【請求項２】
さらに、前記通知が必要と判定された場合に、前記通知として、前記移動端末に画像を表示させる表示制御部を備え、
前記画像には、推定された前記復路における移動手段及び移動時間が含まれる
請求項１に記載の空調制御システム。
【請求項３】
さらに、前記復路における移動手段及び移動時間を変更するための変更指示情報を前記移動端末から受信する復路変更部を備える
請求項２に記載の空調制御システム。
【請求項４】
前記現在位置情報に基づいて、前記利用者が推定された前記復路と異なる経路を通った後推定された前記復路に復帰したと判定され、かつ、復帰地点が前記所定の通知範囲外である場合に、前記制御通知判定部は、前記復帰地点までの実際の経路に基づいて算出された前記指標に基づき、前記通知が必要か否かを判定する
請求項１〜３のいずれか１項に記載の空調制御システム。
【請求項５】
前記現在位置情報に基づいて、前記利用者が推定された前記復路と異なる経路を通った後に推定された前記復路に復帰したと判定され、かつ、復帰地点が前記所定の通知範囲内である場合に、前記制御通知判定部は、前記空調装置の制御内容の変更の要否、及び、前記空調装置の制御の取消の要否の少なくとも一方を利用者へ通知する
請求項１〜４のいずれか１項に記載の空調制御システム。
【請求項６】
前記快適性を示す指標は、前記温湿度情報に基づいて算出される指標を、推定された前記復路における移動手段に応じて補正することによって算出される
請求項１〜５のいずれか１項に記載の空調制御システム。
【請求項７】
コンピュータによって実行される空調制御方法であって、
利用者が携行する移動端末が検知した現在位置情報及び加速度情報の少なくとも一方に基づき、前記利用者の往路における移動手段及び移動時間を特定し、
特定された前記往路における移動手段及び移動時間に基づいて、復路における移動手段及び移動時間を推定し、
前記移動端末が検知した現在位置情報に基づいて、前記移動端末が所定の通知範囲内であるか否かを判定し、
前記移動端末が前記所定の通知範囲内であると判定された場合に、外部から取得される温湿度情報と推定された前記復路における移動手段及び移動時間とを用いて算出される前記利用者の快適性を示す指標に基づいて、空調装置の制御に関する前記利用者への通知が必要か否かを判定する
空調制御方法。
【発明の詳細な説明】
【技術分野】
【０００１】
本開示は、快適な帰宅を実現するための空調装置の制御に関する。
【背景技術】
【０００２】
空調装置を制御するための様々な技術が知られている。例えば、下記の特許文献１には、空調機システムが開示されている。この空調機システムは、利用者が所持する端末装置の現在位置、環境情報に含まれる移動速度、および、空調機位置情報から利用者が空調機の位置に到着する到着時刻を推定し、移動速度を用いて利用者の行動パターンを推定し、環境情報および推定した行動パターンから空調機の制御パターンを決定し、到着時刻および推定した制御パターンから空調機への制御情報を含む制御信号を送信する。
【先行技術文献】
【特許文献】
【０００３】
【特許文献１】国際公開第２０１６／１５７２８３号
【発明の概要】
【発明が解決しようとする課題】
【０００４】
特許文献１に記載の空調機システムは、定期的に取得される、行動パターン及び利用者の周辺の環境情報に基づいて空調機の制御パターンを決めている。このため、利用者の帰宅直前の行動パターン及び環境情報に合わせて空調機が制御される。このような空調機システムは、利用者が外出先から帰宅するまでの経路を移動するに際して当該利用者に加わる身体的負担を考慮していないと考えられる。
【０００５】
本開示は、利用者の身体的負担を考慮した空調装置の制御を利用者に提案することができる空調制御システムを提供する。
【課題を解決するための手段】
【０００６】
本開示の一態様に係る空調制御システムは、利用者が携行する移動端末が検知した現在位置情報及び加速度情報の少なくとも一方に基づき、前記利用者の往路における移動手段及び移動時間を特定する往路特定部と、特定された前記往路における移動手段及び移動時間に基づいて、復路における移動手段及び移動時間を推定する復路推定部と、前記移動端末が検知した現在位置情報に基づいて、前記移動端末が所定の通知範囲内であるか否かを判定する通知範囲判定部と、前記移動端末が前記所定の通知範囲内であると判定された場合に、外部から取得される温湿度情報と推定された前記復路における移動手段及び移動時間とを用いて算出される前記利用者の快適性を示す指標に基づいて、空調装置の制御に関する前記利用者への通知が必要か否かを判定する制御通知判定部とを備える。
【発明の効果】
【０００７】
本開示の空調制御システムは、利用者の身体的負担を考慮した空調装置の制御を利用者に提案することができる。
【図面の簡単な説明】
【０００８】
【図１】図１は、実施の形態１に係る制御システムの機能構成を示す第１のブロック図である。
【図２】図２は、実施の形態１に係る制御システムの機能構成を示す第２のブロック図である。
【図３】図３は、移動端末の表示部に表示される、通知パターン２に対応する通知画面の一例を示す図である。
【図４】図４は、実施の形態１に係る空調制御システムの動作のフローチャートである。
【図５】図５は、往路特定部によって特定された往路を示す図である。
【図６】図６は、復路推定部によって特定された復路を示す図である。
【図７】図７は、負担指標の算出方法を示す図である。
【図８】図８は、補正値の一例を示す図である。
【図９】図９は、一般的な不快指数の値と体感との関係を示す図である。
【図１０】図１０は、移動端末の表示部に表示される、通知パターン１に対応する通知画面の一例を示す図である。
【図１１】図１１は、制御要否再判定処理のフローチャートである。
【図１２】図１２は、移動端末の表示部に表示される、通知パターン３に対応する通知画面の一例を示す図である。
【図１３】図１３は、実際の復路が推定された復路と異なる場合を示す図である。
【図１４】図１４は、実施の形態２に係る空調制御システムの動作のフローチャートである。
【図１５】図１５は、実施の形態３に係る空調制御システムの動作のフローチャートである。
【図１６】図１６は、変更要否判定処理のフローチャートである。
【図１７】図１７は、移動端末の表示部に表示される、通知パターン４に対応する通知画面の一例を示す図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態１）
［構成］
以下、実施の形態１に係る制御システムの構成について説明する。図１は、実施の形態１に係る制御システムの機能構成を示す第１のブロック図であって、空調制御システムの構成を詳細に示すブロック図である。図２は、実施の形態１に係る制御システムの機能構成を示す第２のブロック図であって、空調制御システム以外の装置の機能構成を詳細に示すブロック図である。
【００１２】
図１及び図２に示されるように、実施の形態に係る制御システム１００は、空調制御システム１０と、移動端末２０と、空調装置３０と、天気情報サーバ４０とを備える。
【００１３】
空調制御システム１０は、利用者の自宅などに設けられた空調装置３０を制御することにより、利用者の帰宅時に自宅内を快適な環境にすることができるシステムである。
【００１４】
空調制御システム１０は、利用者が出発地（例えば、自宅）から目的地（例えば、会社）へ向かう移動経路（以下、往路とも記載される）を、利用者が携行する移動端末２０から得られる情報に基づき特定し、特定結果に基づいて目的地から出発地へ戻る際の移動経路（以下、復路とも記載される）を推定する。
【００１５】
空調制御システム１０は、さらに、利用者が復路を実際に移動して所定の通知範囲内に入ると、天気情報サーバ４０から提供される温湿度情報と推定された復路に関する情報とを用いて利用者の快適性を示す指標（以下、負担指標とも記載される）を算出し、算出した負担指標に基づき、必要に応じて空調装置３０の制御に関する利用者への通知を行う。図３は、このような通知として移動端末２０の表示部２５に表示される通知画面の一例を示す図である。
【００１６】
移動端末２０は、図３のような通知画面が表示されているときに受け付けた利用者の操作に基づいて制御内容の変更を行うための情報などを空調制御システム１０にフィードバックする。これにより、利用者が帰宅するときには自宅が快適な環境となる。以下、このような制御システム１００を構成する各装置の構成について詳細に説明する。
【００１７】
［移動端末］
まず、主として図２を参照しながら移動端末２０の構成について詳細に説明する。移動端末２０は、利用者によって携行される端末であり、具体的には、スマートフォン、タブレット端末、または、ウェアラブル端末などである。移動端末２０は、現在位置情報、及び、加速度情報を検知し、検知した現在位置情報及び加速度情報を空調制御システム１０に送信する。また、移動端末２０は、図３のような通知画面が表示されているときの利用者の操作に基づいて情報を空調制御システム１０にフィードバックする。また、移動端末２０は、空調制御システム１０から通知命令を受信する。移動端末２０は、具体的には、加速度検知部２１と、位置情報検知部２２と、端末情報記憶部２３と、端末制御部２４と、表示部２５と、端末通信部２６とを備える。
【００１８】
加速度検知部２１は、移動端末２０の加速度情報を検知する。加速度情報は、移動端末２０を携行する利用者の移動手段を推定するために用いられる。加速度検知部２１は、例えば、少なくとも１方向の加速度情報を検知する加速度センサであるが、ジャイロセンサ（角加速度センサ）であってもよい、加速度検知部２１は、傾き、動き、振動、または、衝撃などを検知可能なセンサであってもよい。
【００１９】
位置情報検知部２２は、移動端末２０の現在位置情報を検知する。位置情報検知部２２は、例えば、ＧＰＳ（Ｇｌｏｂａｌ  Ｐｏｓｉｔｉｏｎｉｎｇ  Ｓｙｓｔｅｍ）信号（つまり、衛星から送信される電波）を取得し、取得したＧＰＳ信号に基づいて移動端末２０の現在位置情報を検知（言い換えれば、計測）するＧＰＳモジュールである。なお、位置情報検知部２２は、移動端末２０の基地局、または、無線ＬＡＮのアクセス情報などを用いて現在位置情報の検知精度を上げる機能（例えば、補助ＧＰＳ（Ａ−ＧＰＳ）機能）を備えてもよい。
【００２０】
端末情報記憶部２３は、加速度検知部２１によって検知された加速度情報、位置情報検知部２２によって検知された現在位置情報、空調制御システム１０から受信した通知命令（通知パターンを指示する情報を含む）に基づいて表示部２５に通知画面を表示するための表示画面情報（つまり、通知パターン及び通知画面が紐づけられた情報）などが記憶される記憶装置である。端末情報記憶部２３は、例えば、半導体メモリなどによって実現される。
【００２１】
なお、端末情報記憶部２３には、必要に応じて、移動端末２０によって実行される制御内容情報、利用者の自宅位置を示す自宅位置情報、乗換案内などから取得した経路情報、利用者が指定した通知範囲を示す情報、快適温度範囲を示す情報、及び、移動手段を示す情報などが記憶されてもよい。
【００２２】
端末制御部２４は、移動端末２０の動作を統括的に制御する。端末制御部２４は、例えば、ＣＰＵ（Ｃｅｎｔｒａｌ  Ｐｒｏｃｅｓｓｉｎｇ  Ｕｎｉｔ）などのプロセッサによって実現されるが、マイクロコンピュータによって実現されてもよい。
【００２３】
表示部２５は、端末制御部２４から受け取った表示画面情報にしたがって画面を表示する。表示部２５は、具体的には、液晶パネルまたは有機ＥＬパネルなどの表示パネルによって実現される。また、表示部２５には、タッチパネルなどの利用者の操作を受け付ける入力デバイスが含まれ、利用者は、通知画面を通じて、空調装置３０の設定温度、空調装置３０の制御を許可するか否かなどを空調制御システム１０にフィードバックすることができる。なお、表示部２５の具体的な構成については特に限定されない。
【００２４】
端末通信部２６は、移動端末２０が空調制御システム１０と通信を行うための通信回路（言い換えれば、通信モジュール）である。端末通信部２６は、例えば、空調制御システム１０から通知命令を受信する。また、端末通信部２６は、加速度検知部２１によって検知された加速度情報、及び、位置情報検知部２２によって検知された現在位置情報、及び、通知画面への操作に基づくフィードバック結果を送信する。なお、端末通信部２６が送信及び受信する情報はこのような情報に限定されず、必要に応じてその他の情報が送信及び受信されてもよい。
【００２５】
［空調装置］
次に、主として図２を参照しながら空調装置３０の構成について詳細に説明する。空調装置３０は、利用者の自宅内に設置され、利用者の自宅内の温度及び湿度を制御する。空調装置３０は、具体的には、室内情報検知部３１と、空調情報記憶部３２と、空調制御部３３と、空調通信部３４とを備える。
【００２６】
室内情報検知部３１は、空調装置３０の周辺温度を検知する。室内情報検知部３１には、例えば、空調装置３０の本体に取り付けられた、空調装置３０の周辺温度を計測する温度センサが含まれる。室内情報検知部３１には、空調装置３０が設置された空間における人を検知することができるサーモセンサまたはカメラが含まれてもよい。また、室内情報検知部３１には、空調装置３０の周辺湿度を計測する湿度センサ、空調装置３０の周囲の明るさを計測する照度センサなどが含まれてもよい。つまり、室内情報検知部３１は、複数種類の室内情報（言い換えれば、環境パラメータ）の検知が可能であってもよい。
【００２７】
空調情報記憶部３２は、室内情報検知部３１によって検知された情報、及び、空調装置３０の制御情報などを記憶する。空調情報記憶部３２は、例えば、半導体メモリによって実現される。
【００２８】
空調制御部３３は、空調装置３０の動作を統括的に制御する。空調制御部３３は、例えば、室内情報検知部３１によって検知された室内情報を空調情報記憶部３２に格納する。また、空調制御部３３は、例えば、空調通信部３４が空調制御システム１０から受信した制御命令に基づいて空調装置３０の制御を行う。空調制御部３３は、例えば、ＣＰＵなどのプロセッサによって実現されるが、マイクロコンピュータによって実現されてもよい。
【００２９】
空調通信部３４は、空調装置３０が空調制御システム１０と通信を行うための通信回路（言い換えれば、通信モジュール）である。空調通信部３４は、制御情報、及び、センシング情報などを空調制御システム１０に対して送信し、空調制御システム１０から制御命令を受信する。
【００３０】
［天気情報サーバ］
次に、主として図２を参照しながら天気情報サーバ４０の構成について詳細に説明する。天気情報サーバ４０は、利用者の移動経路を含む地域における天気情報（より具体的には、温度及び湿度の予測情報）を空調制御システム１０に提供するサーバである。天気情報サーバ４０は、具体的には、天気情報記憶部４１と、天気情報送信部４２とを備える。
【００３１】
天気情報記憶部４１は、天気情報が記憶される記憶装置である。天気情報記憶部４１は、例えば、ＨＤＤ（Ｈａｒｄ  Ｄｉｓｋ  Ｄｒｉｖｅ）などによって実現される。天気情報は、具体的には、地点情報（経度情報、及び、緯度情報）と、地点情報が示す地点における温度情報、及び、湿度情報を含む情報である。
【００３２】
天気情報送信部４２は、天気情報サーバ４０が空調制御システム１０と通信を行うための通信回路（言い換えれば、通信モジュール）である。天気情報送信部４２は、天気情報記憶部４１に記憶された天気情報を空調制御システム１０に送信する。天気情報は、例えば、２４時間分（あるいは１２時間ずつに分割されてもよい）の情報を含み、１時間ごとに定期的に送信される。
【００３３】
［空調制御システム］
次に、主として図１を参照しながら空調制御システム１０の構成について説明する。空調制御システム１０は、具体的には、室内環境判定部１１と、通知範囲判定部１２と、往路特定部１３と、復路推定部１４と、制御通知判定部１５と、システム制御部１６と、データ集積部１７と、システム通信部１８とを備える。室内環境判定部１１、通知範囲判定部１２、往路特定部１３、復路推定部１４、制御通知判定部１５、及び、システム制御部１６のそれぞれは、例えば、ＣＰＵなどのプロセッサ、または、マイクロコンピュータなどによって実現される。これらの構成要素の一部または全部は、１つのプロセッサまたはマイクロコンピュータとして実現されてもよい。
【００３４】
室内環境判定部１１は、空調装置３０から取得した室内の温度が所定の温度範囲内か否かを判定する。室内環境判定部１１は、室内の環境状態の判定を行えばよく、温度の判定を行う構成に限定されない。例えば、室内環境判定部１１は、温度の判定に代えて、または、温度の判定に加えて、空調装置３０から取得した室内の湿度が所定の湿度範囲内か否かを判定してもよい。また、空調装置３０が人を検知するセンサを有している場合、室内環境判定部１１は、人の在不在に基づく判定を行ってもよい。
【００３５】
なお、所定の温度範囲（または所定の湿度範囲）は、上限値及び下限値の少なくとも一方を有していればよく、上限値及び下限値の両方を有していることは必須ではない。所定の温度範囲は、空調制御システム１０の管理者、または、利用者によって設定されてもよい。
【００３６】
通知範囲判定部１２は、移動端末２０が検知した現在位置情報に基づいて、移動端末２０が所定の通知範囲内であるか否かを判定する。通知範囲判定部１２は、データ集積部１７にあらかじめ設定（言い換えれば、登録）された利用者の自宅位置情報が示す位置を中心とした一定範囲を所定の通知範囲として、移動端末２０が検知した現在位置情報が示す現在位置が所定の通知範囲内であるか否かを判定する。自宅位置情報は、例えば、移動端末２０が所定のアプリケーションを実行することなどによって取得されるが、空調装置３０の購入者のお客様情報から取得することも可能である。
【００３７】
所定の通知範囲は、空調制御システム１０の管理者によって設定されてもよいし、利用者が所定のアプリケーションを実行中の移動端末２０を操作することで設定することも可能である。
【００３８】
また、所定の通知範囲は、例えば、地図上で円形の範囲であるが、所定の通知範囲がこのような形状を有していることは必須ではない。例えば、所定の場所（駅など）が所定の通知範囲として設定されれば、通勤などの日々のルーティンで所定の場所を通るときのみに通知が行われるなど、通知の条件を絞ることも可能である。
【００３９】
往路特定部１３は、利用者が携行する移動端末２０が検知した現在位置情報及び加速度情報の少なくとも一方に基づき、利用者の往路における移動手段及び移動時間を特定する。現在位置情報及び加速度情報は、言い換えれば、行動履歴情報であり、例えば、システム通信部１８が利用者の所有する移動端末２０から定期的に受信する。受信された現在位置情報及び加速度情報は、データ集積部１７に時系列データとして記憶され、往路特定部１３は往路を特定する際にこれを読み出して使用する。
【００４０】
移動手段の特定方法は、以下の方法が例示される。往路特定部１３は、例えば、現在位置情報の取得間隔と、現在位置情報の変位から利用者の移動速度を示す速度情報を算出することが可能である。例えば、速度情報が示す移動速度が２０ｋｍ／ｈ以上であって、かつ、加速度情報が示す加速度の大きさが比較的小さい場合（例えば、所定値よりも小さい安静状態である場合）、移動手段を車と判断することが可能である。なお、その他の移動手段の特定方法として、現在位置情報と加速度情報の相関係数から特定する方法なども存在する。
【００４１】
また、移動端末２０がスマートフォンやタブレットの場合、移動端末２０のＯＳ（Ｏｐｅｒａｔｉｎｇ  Ｓｙｓｔｅｍ）がＡＰＩ（Ａｐｐｌｉｃａｔｉｏｎ  Ｐｒｏｇｒａｍｍｉｎｇ  Ｉｎｔｅｒｆａｃｅ）として、加速度情報及び現在位置情報から移動手段を推定する機能を備えている場合がある。このような場合、空調制御システム１０は、移動端末２０によって推定された移動手段を移動端末２０から取得してもよい。また、移動端末２０において乗り換え案内などのアプリと連携が行われることで、利用者の復路が予め設定されれば、移動手段の特定精度の向上を図ることができる。また、マップマッチング技術を使用して移動手段の特定精度の向上を図ることもできる。
【００４２】
復路推定部１４は、往路特定部１３によって特定された往路における移動手段及び移動時間に基づいて、復路における移動手段及び移動時間を推定する。復路推定部１４は、例えば、利用者が復路も往路と同じ経路を移動すると仮定し、往路特定部１３によって特定された移動手段を時間的に逆にした経路を復路として推定する。
【００４３】
制御通知判定部１５は、移動端末２０が所定の通知範囲内であると判定された場合に、外部から取得される温湿度情報と推定された復路における移動手段及び移動時間とを用いて算出される利用者の快適性を示す指標に基づいて、空調装置３０の制御に関する利用者への通知が必要か否かを判定する。
【００４４】
システム制御部１６は、空調制御システム１０の動作を統括的に制御する。システム制御部１６は、空調装置３０の制御に関する利用者への通知が必要と判定された場合に、当該通知として、移動端末２０に画像を表示させる表示制御部１６ａを含む。
【００４５】
データ集積部１７は、移動端末２０、空調装置３０、および、天気情報サーバ４０のそれぞれから受信された情報、並びに、空調制御システム１０内部で生成された情報が記憶される記憶装置である。データ集積部１７は、例えば、ＨＤＤなどによって実現される。
【００４６】
システム通信部１８は、空調制御システム１０が移動端末２０、空調装置３０、及び、天気情報サーバ４０と通信を行うための通信回路である。システム通信部１８は、例えば、移動端末２０、空調装置３０、及び、天気情報サーバ４０から情報を受信する。また、システム通信部１８は、移動端末２０に通知命令を送信し、空調装置３０に制御命令を送信する。システム通信部１８は、復路変更部１８ａを含む。
【００４７】
［動作］
次に、空調制御システム１０の動作について説明する。図４は、空調制御システム１０の動作のフローチャートである。
【００４８】
まず、通知範囲判定部１２は、移動端末２０が検知した現在位置情報に基づいて、移動端末２０が所定の通知範囲内であるか否かを判定する（Ｓ１０１）。通知範囲判定部１２は、具体的には、システム通信部１８によって受信された後データ集積部１７に記憶された現在位置情報と、データ集積部１７にあらかじめ記憶された所定の通知範囲とを比較することで上記判定を行う。所定の通知範囲は、例えば、利用者の自宅の位置を中心とした円形の範囲であるが、特に限定されない。
【００４９】
通知範囲判定部１２によって移動端末２０が所定の通知範囲内でない（言い換えれば、所定の通知範囲外）と判定されると（Ｓ１０１でＮｏ）、動作は終了となる。
【００５０】
一方、通知範囲判定部１２によって移動端末２０が所定の通知範囲内である（つまり、利用者が自宅の近くにいる）と判定されると（Ｓ１０１でＹｅｓ）、室内環境判定部１１は、室内環境（具体的には、自宅内）が快適な状態であるか否かを判定する（Ｓ１０２）。室内環境判定部１１は、例えば、データ集積部１７に記憶されている、自宅内の温度情報及び快適温度範囲を示す情報を比較することにより、自宅内（言い換えれば、空調装置３０が設置された室内）が快適な状態であるか否かを判定する。
【００５１】
自宅内の温度情報は、空調装置３０の室内情報検知部３１によって検知され、空調通信部３４によって送信された情報であり、システム通信部１８によって受信された後データ集積部１７に記憶される。快適温度範囲を示す情報は、例えば、利用者の表示部２５への操作に基づいて生成され、端末通信部２６によって送信された情報であり、システム通信部１８によって受信された後データ集積部１７に記憶される。
【００５２】
室内環境判定部１１によって自宅内が快適な状態でないと判定されると（Ｓ１０２でＮｏ）、システム制御部１６は、通知パターン１を選択し（Ｓ１０３）、後述のステップＳ１０９以降の処理を行う。一方、室内環境判定部１１によって自宅内が快適な状態であると判定されると（Ｓ１０２でＹｅｓ）、システム制御部１６は、通知パターン２を選択する（Ｓ１０４）。続いて、往路特定部１３は、利用者が携行する移動端末２０が検知した現在位置情報及び加速度情報の少なくとも一方に基づき、利用者の往路における移動手段及び移動時間を特定する（Ｓ１０５）。上述のように、往路特定部１３は、例えば、現在位置情報の取得間隔と、現在位置情報の変位から利用者の移動速度を示す速度情報を算出し、加速度情報及び速度情報に基づいて移動手段の経時変化を特定することができる。図５は、往路特定部１３によって特定された往路を示す図である。
【００５３】
なお、往路の特定には、例えば、利用者が自宅位置から離れた時刻から、所定の通知範囲外であって、かつ、所定時間以上ほとんど同じ位置に滞在するようになった時刻（つまり、会社についたと推定される時刻）までに検知された現在位置情報及び加速度情報が用いられる。このような現在位置情報及び加速度情報は、あらかじめ移動端末２０によって検知され、データ集積部１７に記憶される。移動手段が電車、バス、自動車のいずれであるかの区別は、例えば、速度情報に基づいて行われる。
【００５４】
次に、復路推定部１４は、往路特定部１３によって特定された往路における移動手段及び移動時間に基づいて、復路における移動手段及び移動時間を推定する（Ｓ１０６）。復路推定部１４は、例えば、利用者が復路も往路と同じ経路を移動すると仮定し、往路特定部１３によって特定された移動手段を時間的に逆にした経路を復路として推定する。図６は、復路推定部１４によって特定された復路を示す図である。図６は、図５に対応している。図５に示されるように、往路が「自宅から徒歩２０分、電車３０分、バス２０分で会社へ移動」の場合、復路は「会社からバス２０分、電車３０分、徒歩２０分で自宅へ移動」となる。
【００５５】
次に、制御通知判定部１５は、利用者の負担指標を算出する（Ｓ１０７）。負担指標は、例えば、不快指数（ＤＩ：Ｄｉｓｃｏｍｆｏｒｔ  Ｉｎｄｅｘ）を補正することによって算出される。図７は、負担指標の算出方法を示す図である。
【００５６】
不快指数の算出には、天気情報サーバ４０から提供される天気情報に含まれる、復路の各地点に利用者が位置すると考えられる時刻における温度情報、及び、湿度情報が用いられる。このような情報は、あらかじめデータ集積部１７に記憶される。不快指数は、蒸し暑さを指数化したもので下記の式で表される。Ｔは乾球気温［℃］、Ｈは湿度［％］である。
【００５７】
ＤＩ＝０．８１Ｔ＋０．０１Ｈ×（０．９９Ｔ−１４．３）＋４６．３
【００５８】
図６の（ａ）に示されるように、各地点において気温が２７．５℃、湿度が６０％であるとすると、不快指数は７６となる。
【００５９】
次に、制御通知判定部１５は、各地点における不快指数を補正する。制御通知判定部１５は、例えば、各地点における移動手段に応じた量の補正を行う。図８は、補正値の一例を示す図であり、図８では、徒歩で移動している地点における補正値は２．０、自転車で移動している地点における補正値は１．５、電車で移動している地点における補正値は１、バスで移動している地点における補正値は１、自動車で移動している地点における補正値は０である。図７の（ｂ）に示されるように、制御通知判定部１５は、各地点における不快指数に、当該地点における補正値を加算することで補正後不快指数を算出する。そして、図７の（ｃ）に示されるように、制御通知判定部１５は、複数の補正後不快指数の平均値を負担指標として算出する。つまり、負担指標は、下記の式で表される。
【００６０】
負担指標＝Σ（不快指数（ＤＩ）＋移動手段に応じた補正値）／分割地点数
【００６１】
次に、制御通知判定部１５は、負担指標に基づいて、空調装置３０の制御に関する利用者への通知が必要か否かを判定する（Ｓ１０８）。制御通知判定部１５は、具体的には、負担指標が閾値以上である場合に、通知が必要であると判定し（Ｓ１０８でＹｅｓ）、負担指標が閾値未満である場合に、通知が不要であると判定する（Ｓ１０８でＮｏ）。
【００６２】
一般に、不快指数は７５を超えると人口の１割の人が不快であると感じ、８０を超えると全員が不快であると感じると言われている。図９は、一般的な不快指数の値と体感との関係を示す図である。ただし、人種によって不快であると感じる度合いも異なり、日本人の場合、不快指数が７７になると不快であると感じ、８５になると９３％の人が暑さによって不快であると感じるといわれている。そこで、空調制御システム１０が日本で利用される場合、閾値は、例えば、７７に設定される。なお、閾値は、地域性、国民性を考慮して設定されるとよい。
【００６３】
制御通知判定部１５は、負担指標が閾値未満であり、往路における利用者の負担は軽く、快適に帰宅できる場合には、通知が必要でないと判定し（Ｓ１０８でＮｏ）、動作は終了となる。一方、制御通知判定部１５は、負担指標が閾値以上であり、利用者が快適に帰宅できない場合には、通知が必要であると判定する（Ｓ１０８でＹｅｓ）。
【００６４】
制御通知判定部１５によって通知が必要であると判定されると、表示制御部１６ａは、システム通信部１８に移動端末２０へ通知命令を送信させる（Ｓ１０９）。この処理は、ステップＳ１０３が行われたときにも行われる。
【００６５】
ステップＳ１０８の後で送信される通知命令は、通知パターン２に対応する通知画面を表示させるための通知命令であり、このような通知命令を受信した移動端末２０の表示部２５には、上記図３のような通知画面が表示される。一方、ステップＳ１０３の後で送信される通知命令は、通知パターン１に対応する通知画面を表示させるための通知命令であり、このような通知命令を受信した移動端末２０の表示部２５には、図１０のような通知画面が表示される。図１０は、移動端末２０の表示部２５に表示される、通知パターン１に対応する通知画面の一例を示す図である。このような通知画面の表示は、通知パターンを指示する情報を含む通知命令と端末情報記憶部２３に記憶された表示画面情報（通知パターンと通知画面とが紐づけられた情報）とを用いて実現される。
【００６６】
なお、通知命令には、通知パターンを指示する情報の他に、復路の経路情報、復路推定部１４によって推定された移動時間から算出した帰宅時間、及び、帰宅時の設定温度の情報が含まれ、通知画面はこのような情報を含む。
【００６７】
また、利用者は、通知画面を通じて、空調装置３０の設定温度または運転モードの変更、空調装置３０の制御を実行するか否かの選択、空調装置３０の制御の開始時刻の変更、推定した復路の変更などを行うことができる。このような変更の結果または選択の結果は、変更指示情報として空調制御システム１０にフィードバックされる。つまり、空調制御システム１０の復路変更部１８ａは、移動端末２０からフィードバック結果を受信する（Ｓ１１０）。なお、変更指示情報のうち、空調装置３０の制御を実行するか否かを示す情報は、制御可否情報とも記載される。
【００６８】
次に、システム制御部１６は、フィードバック結果に含まれる制御可否情報に基づいて空調装置３０の制御が必要であるか否かを判定する（Ｓ１１１）。制御可否情報が制御否を示す場合、システム制御部１６は制御が不要であると判定し（Ｓ１１１でＮｏ）、動作は終了となる。
【００６９】
一方、制御可否情報が制御可を示す場合、システム制御部１６は制御が必要であると判定し（Ｓ１１１でＹｅｓ）、ステップＳ１１０において受信されたフィードバック結果に復路の変更指示が含まれているか否かを判定する（Ｓ１１２）。
【００７０】
システム制御部１６は、フィードバック結果に復路の変更指示が含まれていないと判定すると（Ｓ１１２でＮｏ）、推定される利用者の帰宅予定時刻に空調装置３０が設置された空間の温度が設定温度に到達するように制御開始時刻を算出し（Ｓ１１３）、制御開始時刻に空調装置３０が動作を開始するように空調装置３０へ制御命令を送信する（Ｓ１１４）。システム制御部１６は、例えば、帰宅予定時刻から逆算した所定時刻に制御命令をシステム通信部１８に空調装置３０へ送信させる。この結果、空調装置３０は、制御命令に従って動作する。
【００７１】
一方、システム制御部１６は、フィードバック結果に復路の変更指示が含まれていると判定すると（Ｓ１１２でＹｅｓ）、制御要否再判定処理を行い（Ｓ１１５）、制御の要否を再判定する。図１１は、制御要否再判定処理のフローチャートである。
【００７２】
制御要否再判定処理において、制御通知判定部１５は、変更後の復路に基づいて利用者の負担指標を再計算する（Ｓ１１６）。次に、制御通知判定部１５は、再計算後の負担指標が閾値以上であるか否かを判定する（Ｓ１１７）。負担指数が閾値以上であると判定されると（Ｓ１１７でＹｅｓ）、制御は必要であると判定され、図４のＳ１１３以降の処理が行われる。
【００７３】
一方、制御通知判定部１５によって負担指標が閾値未満であると判定されると（Ｓ１１７でＮｏ）、システム制御部１６は、システム通信部１８に移動端末２０へ確認通知命令を送信させる（Ｓ１１８）。確認通知命令を受信した移動端末２０の表示部２５には、図１２のような通知画面が表示される。図１２は、移動端末２０の表示部２５に表示される、通知画面の一例を示す図である。この通知画面は、快適に帰宅できる状態であるが空調装置３０の制御を行うかどうかを利用者に確認するための確認画面である。通知画面の表示は、確認通知命令に含まれる通知パターン３を指示する情報と端末情報記憶部２３に記憶された表示画面情報（通知パターンと通知画面とが紐づけられた情報）とを用いて実現される。
【００７４】
また、利用者は、確認画面を通じて、空調装置３０の制御を実行するか否かを選択することができる。選択の結果は、指示情報として空調制御システム１０にフィードバックされる。つまり、空調制御システム１０のシステム通信部１８は、移動端末２０からフィードバック結果を受信する（Ｓ１１９）。フィードバック結果には、制御可否情報が含まれる。
【００７５】
次に、システム制御部１６は、フィードバック結果に含まれる制御可否情報に基づいて空調装置３０の制御が必要であるか否かを判定する（Ｓ１２０）。制御可否情報が制御否を示す場合、システム制御部１６は制御が不要であると判定し（Ｓ１２０でＮｏ）、動作は終了となる。
【００７６】
一方、制御可否情報が制御可を示す場合、システム制御部１６は制御が必要であると判定し（Ｓ１２０でＹｅｓ）、図４のＳ１１３以降の処理が行われる。
【００７７】
以上説明したように、空調制御システム１０は、利用者が外出先から帰宅するまでの経路を移動するに際して当該利用者に加わる身体的負担を示す負担指数に基づいて空調装置３０の制御に関する通知を行うか否かを判定する。つまり、空調制御システム１０は、利用者の身体的負担を考慮した空調装置３０の制御を利用者に提案することができる。
【００７８】
（実施の形態２）
利用者は、所定の通知範囲外で推定された復路と異なる経路を実際の復路とする場合がある。図１３は、実際の復路が推定された復路と異なる場合を示す図であり、図１３の（ａ）は、推定された復路を示し、図１３の（ｂ）は、実際の復路が所定の通知範囲外で推定された復路と異なる場合を示す。実施の形態２では、利用者が図１３の（ｂ）のような復路を使用する場合の空調制御システム１０の動作について説明する。図１４は、実施の形態２に係る空調制御システム１０の動作のフローチャートである。なお、以下の説明では、実施の形態１と重複する内容については説明が省略または簡略化される。
【００７９】
図１４のフローチャートにおいて、復路推定部１４によって復路が推定された後（Ｓ１０６）、システム制御部１６は、実際の復路を特定する（Ｓ２０１）。実際の復路の特定方法は、往路特定部１３による往路の特定方法と同様に、現在位置情報に基づいて行われる。このとき特定される実際の復路は、所定の通知範囲外の経路となる。
【００８０】
次に、システム制御部１６は、ステップＳ１０６で推定された復路の所定の通知範囲外の部分と、ステップＳ２０１で特定された実際の復路とが異なるか否かを判定する（Ｓ２０２）。ここでの異なるとは、例えば、実質的に差異があることを意味し、違いがわずかである場合などは異ならないと判定される。
【００８１】
システム制御部１６は、復路が異なると判定すると（Ｓ２０２でＹｅｓ）、復路を変更する（Ｓ２０３）。システム制御部１６は、具体的には、ステップＳ１０６で推定された復路の所定の通知範囲外の部分を実際の復路に置き換えることにより、復路を変更する。その後、変更後の復路を用いてステップＳ１０７以降の処理が行われる。
【００８２】
一方、システム制御部１６によって復路が異ならない（復路が実質的に同一である）と判定されると（Ｓ２０２でＮｏ）、復路を変更せずにステップＳ１０６で推定された復路をそのまま使用してステップＳ１０７以降の処理（ステップＳ１０７の負担指標の算出処理、及び、ステップＳ１０８において制御通知判定部１５によって行われる判定処理など）が行われる。
【００８３】
以上説明したように、実施の形態２では、現在位置情報に基づいて、利用者が推定された復路と異なる経路を通った後推定された復路に復帰したと判定され、かつ、復帰地点が所定の通知範囲外である場合に、制御通知判定部１５は、復帰地点までの実際の経路に基づいて計算された負担指標に基づき、通知が必要か否かを判定する。
【００８４】
このように、利用者が推定された復路と異なる復路を使用した場合に、推定された復路ではなく実際に使用した復路に基づいて負担指標が算出されれば、ステップＳ１０９の通知が必要か否かの判定精度が高められる。
【００８５】
（実施の形態３）
上記図１３の（ｃ）に示されるように、利用者は、所定の通知範囲内で、推定された復路と異なる経路を実際の復路とする場合がある。具体的には、利用者は、空調装置３０の制御が開始されてから推定された復路と異なる経路を実際の復路とする場合がある。実施の形態３では、このような場合の空調制御システム１０の動作について説明する。図１５は、実施の形態３に係る空調制御システム１０の動作のフローチャートである。なお、以下の実施の形態３の説明では、実施の形態１と重複する内容については説明が省略または簡略化される。
【００８６】
ステップＳ１１４において制御命令が送信された後、制御通知判定部１５は、利用者が推定された復路から外れたか否かを判定する（Ｓ３０１）。この判定は、推定した復路と、現在位置情報に基づいて定められる利用者の実際の復路とを比較することにより行われる。
【００８７】
制御通知判定部１５によって利用者が推定された復路から外れていないと判定されると（Ｓ３０１でＮｏ）動作は終了となる。一方、制御通知判定部１５によって利用者が推定された復路から外れたと判定されると（Ｓ３０１でＹｅｓ）、変更要否判定処理が行われる（Ｓ３０２）。図１６は、変更要否判定処理のフローチャートである。
【００８８】
変更要否判定処理において、制御通知判定部１５は、システム通信部１８に移動端末２０へ変更通知命令を送信させる（Ｓ３０３）。
【００８９】
変更通知命令は、通知パターン４に対応する通知画面を表示させるための通知であり、このような通知を受信した移動端末２０の表示部２５には、図１７のような通知画面が表示される。図１７は、移動端末２０の表示部２５に表示される、通知パターン４に対応する通知画面の一例を示す図である。このような通知画面の表示は、変更通知命令に含まれる通知パターン４を指示する情報と端末情報記憶部２３に記憶された表示画面情報（通知パターンと通知画面とが紐づけられた情報）とを用いて実現される。
【００９０】
利用者は、通知画面を通じて、空調装置３０の設定温度または運転モードの変更、空調装置３０の制御を実行するか否かの選択、推定した復路の変更などを行うことができる。また、利用者は、通知画面を通じて、空調装置３０の制御の取り消しを行うこともできる。このような変更の結果または取り消しの結果は、指示情報として空調制御システム１０にフィードバックされる。つまり、空調制御システム１０のシステム通信部１８は、移動端末２０からフィードバック結果を受信する（Ｓ３０４）。
【００９１】
次に、システム制御部１６は、フィードバック結果に基づいて空調装置３０の制御内容の変更（制御の取り消しを含む）が必要であるか否かを判定する（Ｓ３０５）。システム制御部１６は、空調装置３０の制御内容の変更が必要であると判定すると（Ｓ３０５でＹｅｓ）、空調装置３０に変更後の動作を行わせるための制御命令をシステム通信部１８に空調装置３０へ送信させる（Ｓ３０６）。この結果、空調装置３０は、制御命令に従って動作する。一方、空調装置３０の制御内容の変更が必要でない（不要である）と判定された場合（Ｓ３０５でＮｏ）、動作は終了となる。
【００９２】
以上説明したように、実施の形態３では、現在位置情報に基づいて、利用者が推定された復路と異なる経路を通った後に推定された復路に復帰したと判定され、かつ、復帰地点が所定の通知範囲内である場合に、制御通知判定部１５は、空調装置３０の制御内容の変更の要否、及び、空調装置３０の制御の取消の要否の少なくとも一方を利用者へ通知する。
【００９３】
このように、利用者が推定された復路と異なる復路を使用した場合に、推定された復路ではなく実際に使用した復路に基づいて空調装置３０の制御が変更されれば、利用者により快適な環境を提供することができる。
【００９４】
［効果等］
以上説明したように、空調制御システム１０は、利用者が携行する移動端末２０が検知した現在位置情報及び加速度情報の少なくとも一方に基づき、利用者の往路における移動手段及び移動時間を特定する往路特定部１３と、特定された往路における移動手段及び移動時間に基づいて、復路における移動手段及び移動時間を推定する復路推定部１４と、移動端末２０が検知した現在位置情報に基づいて、移動端末２０が所定の通知範囲内であるか否かを判定する通知範囲判定部１２と、移動端末２０が所定の通知範囲内であると判定された場合に、外部から取得される温湿度情報と推定された復路における移動手段及び移動時間とを用いて算出される利用者の快適性を示す負担指標に基づいて、空調装置３０の制御に関する利用者への通知が必要か否かを判定する制御通知判定部１５とを備える。
【００９５】
このような空調制御システム１０は、利用者の身体的負担を考慮した空調装置３０の制御を利用者に提案することができる。
【００９６】
また、例えば、空調制御システム１０は、さらに、通知が必要と判定された場合に、通知として、移動端末２０に画像を表示させる表示制御部１６ａを備える。画像には、推定された復路における移動手段及び移動時間が含まれる。
【００９７】
このような空調制御システム１０は、推定された復路を利用者に通知することができる。
【００９８】
また、例えば、空調制御システム１０は、さらに、復路における移動手段及び移動時間を変更するための変更指示情報を移動端末２０から受信する復路変更部１８ａを備える。
【００９９】
このような空調制御システム１０は、推定された復路を、移動端末２０から送信される変更指示情報に応じて変更することができる。
【０１００】
また、例えば、現在位置情報に基づいて、利用者が推定された復路と異なる経路を通った後推定された復路に復帰したと判定され、かつ、復帰地点が所定の通知範囲外である場合に、制御通知判定部１５は、復帰地点までの実際の経路に基づいて算出された負担指標に基づき、通知が必要か否かを判定する。
【０１０１】
このように、利用者が推定された復路と異なる復路を使用した場合に、推定された復路ではなく実際に使用した復路に基づいて負担指標が算出されれば、通知が必要か否かの判定精度が高められる。
【０１０２】
また、例えば、現在位置情報に基づいて、利用者が推定された復路と異なる経路を通った後に推定された復路に復帰したと判定され、かつ、復帰地点が所定の通知範囲内である場合に、制御通知判定部１５は、空調装置３０の制御内容の変更の要否、及び、空調装置３０の制御の取消の要否の少なくとも一方を利用者へ通知する。
【０１０３】
このように、利用者が推定された復路と異なる復路を使用した場合に、推定された復路ではなく実際に使用した復路に基づいて空調装置３０の制御が変更されれば、利用者により快適な環境を提供することができる。
【０１０４】
また、例えば、快適性を示す負担指標は、温湿度情報に基づいて算出される指標（例えば、不快指数）を、推定された復路における移動手段に応じて補正することによって算出される。
【０１０５】
このような空調制御システム１０は、利用者の復路を移動中の気温、及び、湿度に加えて利用者の移動手段を考慮して負担指標を算出することができる。
【０１０６】
また、空調制御システム１０などのコンピュータによって実行される空調制御方法は、利用者が携行する移動端末２０が検知した現在位置情報及び加速度情報の少なくとも一方に基づき、利用者の往路における移動手段及び移動時間を特定し、特定された往路における移動手段及び移動時間に基づいて、復路における移動手段及び移動時間を推定し、移動端末２０が検知した現在位置情報に基づいて、移動端末２０が所定の通知範囲内であるか否かを判定し、移動端末２０が所定の通知範囲内であると判定された場合に、外部から取得される温湿度情報と推定された復路における移動手段及び移動時間とを用いて算出される利用者の快適性を示す指標に基づいて、空調装置３０の制御に関する利用者への通知が必要か否かを判定する。
【０１０７】
このような空調制御方法は、利用者の身体的負担を考慮した空調装置３０の制御を利用者に提案することができる。
【０１０８】
（その他の実施の形態）
以上、実施の形態について説明したが、本開示は、上記実施の形態に限定されるものではない。
【０１０９】
例えば、上記実施の形態では、不快指数は天気情報サーバから提供される温度及び湿度の予測情報を用いて算出されたが、利用者が復路を移動している時間帯における温度及び湿度の実測値を取得できる場合、不快指数は実測値を用いて算出されてもよい。
【０１１０】
また、上記実施の形態における負担指数は、利用者の快適性を示す指標の一例である。利用者への通知が必要か否かの判定には、利用者の快適性を示す指標であって、利用者の移動手段等を用いて算出されるその他の指標が用いられてもよい。
【０１１１】
また、上記実施の形態では、目的地は会社であると説明されたが、目的地は行楽地などであってもよく、特に限定されない。また、出発地も自宅に限定されず、宿泊施設などであってもよい。
【０１１２】
また、上記実施の形態における装置間の通信方法については特に限定されるものではない。また、装置間の通信においては、図示されない中継装置が介在してもよい。
【０１１３】
また、上記実施の形態において、特定の処理部が実行する処理を別の処理部が実行してもよい。また、複数の処理の順序が変更されてもよいし、複数の処理が並行して実行されてもよい。
【０１１４】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１５】
また、各構成要素は、ハードウェアによって実現されてもよい。各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１６】
また、本開示の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１１７】
例えば、本開示は、空調制御方法として実現されてもよいし、空調制御方法をコンピュータに実行させるためのプログラムとして実現されてもよいし、このようなプログラムが記録されたコンピュータ読み取り可能な非一時的な記録媒体として実現されてもよい。
【０１１８】
また、上記実施の形態に係る空調制御システムは、単一の装置として実現されてもよいし、複数の装置によって実現されてもよい。空調制御システムが複数の装置によって実現される場合、上記実施の形態で説明された空調制御システムが備える構成要素は、複数の装置にどのように振り分けられてもよい。
【０１１９】
その他、各実施の形態に対して当業者が思いつく各種変形を施して得られる形態、または、本開示の趣旨を逸脱しない範囲で各実施の形態における構成要素及び機能を任意に組み合わせることで実現される形態も本開示に含まれる。
【符号の説明】
【０１２０】
１０  空調制御システム
１１  室内環境判定部
１２  通知範囲判定部
１３  往路特定部
１４  復路推定部
１５  制御通知判定部
１６  システム制御部
１６ａ  表示制御部
１７  データ集積部
１８  システム通信部
１８ａ  復路変更部
２０  移動端末
２１  加速度検知部
２２  位置情報検知部
２３  端末情報記憶部
２４  端末制御部
２５  表示部
２６  端末通信部
３０  空調装置
３１  室内情報検知部
３２  空調情報記憶部
３３  空調制御部
３４  空調通信部
４０  天気情報サーバ
４１  天気情報記憶部
４２  天気情報送信部
１００  制御システム
【図１】
2020134068.tif 000003
【図２】
2020134068.tif 000004
【図３】
2020134068.tif 000005
【図４】
2020134068.tif 000006
【図５】
2020134068.tif 000007
【図６】
2020134068.tif 000008
【図７】
2020134068.tif 000009
【図８】
2020134068.tif 000010
【図９】
2020134068.tif 000011
【図１０】
2020134068.tif 000012
【図１１】
2020134068.tif 000013
【図１２】
2020134068.tif 000014
【図１３】
2020134068.tif 000015
【図１４】
2020134068.tif 000016
【図１５】
2020134068.tif 000017
【図１６】
2020134068.tif 000018
【図１７】
2020134068.tif 000019